(57)【要約】【課題】内視鏡システムにおいて、単一のスイッチによりインスタントリプレイ機能を実現する。【解決手段】内視鏡システムは、ユーザにより把持可能に構成された把持部を備えた内視鏡と、内視鏡により取得された映像信号に応じた動画を記録可能に構成された記録部と、記録部により記録された動画を再生可能に構成された再生部と、ユーザが把持部を把持している状態でユーザによって操作可能に設けられ、その操作が継続して行われた期間に応じて、記録部及び再生部に対する操作信号を出力する操作信号出力部と、操作信号出力部により出力された操作信号に基づいて、記録部及び再生部の動作を制御する制御部と、を備える。【選択図】図１
2017184970.tif 000002
【特許請求の範囲】
【請求項１】
ユーザにより把持可能に構成された把持部を備えた内視鏡と、
前記内視鏡により取得された映像信号に応じた動画を記録可能に構成された記録部と、
前記記録部により記録された前記動画を再生可能に構成された再生部と、
前記ユーザが前記把持部を把持している状態で前記ユーザによって操作可能に設けられ、前記操作が継続して行われた期間に応じて、前記記録部及び前記再生部に対する操作信号を出力する操作信号出力部と、
前記操作信号出力部により出力された前記操作信号に基づいて、前記記録部及び前記再生部の動作を制御する制御部と、
を備えることを特徴とする内視鏡システム。
【請求項２】
前記操作信号出力部は、前記把持部に設けられることを特徴とする請求項１記載の内視鏡システム。
【請求項３】
前記操作信号出力部は、押下式の単一ボタンであり、
前記操作信号出力部を押下する期間に応じて、前記記録部による記録動作又は前記再生部による再生動作を行わせる前記操作信号を出力することを特徴とする請求項２記載の内視鏡システム。
【請求項４】
前記制御部は、
前記操作信号出力部が所定期間よりも短く操作された場合、前記映像信号に応じた動画の記録動作を開始させるよう前記記録部を制御し、
前記記録動作中に前記操作信号出力部が前記所定期間以上操作された場合、前記記録動作を停止させるよう前記記録部を制御し、前記記録動作により記録された動画の逆再生動作を行わせるよう前記再生部を制御することを特徴とする請求項１記載の内視鏡システム。
【請求項５】
前記記録動作中に前記操作信号出力部が前記所定期間以上操作された場合において、前記制御部は、前記記録動作の停止後であって前記操作信号出力部が継続して操作されている間は、前記逆再生動作を継続させるよう前記再生部を制御することを特徴とする請求項４記載の内視鏡システム。
【請求項６】
前記操作信号出力部は、フットスイッチであることを特徴とする請求項１記載の内視鏡システム。
【請求項７】
ユーザにより把持可能に構成された把持部を備えた内視鏡と、前記内視鏡により取得された映像信号に応じた動画を記録可能に構成された記録部と、前記記録部により記録された前記動画を再生可能に構成された再生部とを備える内視鏡システムの動作制御方法であって、
前記ユーザが前記把持部を把持している状態で前記ユーザによって操作が継続して行われた期間に応じて、前記記録部及び前記再生部に対する操作信号を出力し、
前記操作信号に基づいて、前記記録部及び前記再生部の動作を制御する、
ことを特徴とする動作制御方法。
【発明の詳細な説明】
【技術分野】
【０００１】
本発明は、内視鏡が取得する映像信号に応じた動画の記録及び記録した動画の再生等の動作を行う内視鏡システム、及び、その動作制御方法に関する。
【背景技術】
【０００２】
従来、病院等の医療機関で行われる内視鏡検査に使用されるシステムとして、例えば、内視鏡システムがある。
内視鏡システムは、患者の体腔内を撮像して映像信号を取得する内視鏡と、当該内視鏡により取得された映像信号に応じた動画の記録及び記録した動画の再生等の動作を行う内視鏡装置（内視鏡画像処理装置又は内視鏡ビデオプロセッサーとも言う）を備えている。内視鏡は、ユーザ（医師等）により操作される複数のスイッチ（例えばボタンスイッチ）を備えている。このような内視鏡システムでは、例えば内視鏡検査中において、ユーザが内視鏡に備えられたスイッチを操作することによって、当該スイッチに対応する動作を内視鏡システムに行わせることができる。
【０００３】
なお、複数のスイッチを備えた内視鏡としては、次のような内視鏡が知られている。
例えば、２つの操作ボタン（操作スイッチ）と、機能切換えの操作を行う機能切換ボタン（機能切換スイッチ）とを備えた内視鏡が知られている（特許文献１参照）。
【０００４】
また、例えば、内視鏡観察画像の記録形態（ モード）を、静止画像を記録する静止画像記録モードに設定する静止画記録選択スイッチと、内視鏡観察画像の記録形態を、動画像を記録する動画像記録モードに設定する動画記録選択スイッチとを備えた内視鏡も知られている（特許文献２参照）。
【先行技術文献】
【特許文献】
【０００５】
【特許文献１】特開平８−１５６１４号公報
【特許文献２】特開２００７−２５２８１０号公報
【発明の概要】
【発明が解決しようとする課題】
【０００６】
内視鏡システムにおいて、インスタントリプレイ機能（単純な操作でデータ（例えば動画）の記録や再生を行う機能）を実現しようとする場合、記録の開始、記録の停止、再生の開始、再生の停止、逆再生の開始、及び逆再生の停止等といった各動作の指定を行う必要があることから、その各動作の指定を各スイッチに割り当てるとすると、スイッチの数が増えてしまうという問題があった。そのため、例えば、配置スペースに制限のある内視鏡（内視鏡の把持部等）には、それらのスイッチを全て配置することは困難であった。
【０００７】
本発明は、上記実状に鑑み、単一のスイッチによりインスタントリプレイ機能を実現することができる、内視鏡システム及び動作制御方法を提供することを目的とする。
【課題を解決するための手段】
【０００８】
本発明の第１の態様は、ユーザにより把持可能に構成された把持部を備えた内視鏡と、前記内視鏡により取得された映像信号に応じた動画を記録可能に構成された記録部と、前記記録部により記録された前記動画を再生可能に構成された再生部と、前記ユーザが前記把持部を把持している状態で前記ユーザによって操作可能に設けられ、前記操作が継続して行われた期間に応じて、前記記録部及び前記再生部に対する操作信号を出力する操作信号出力部と、前記操作信号出力部により出力された前記操作信号に基づいて、前記記録部及び前記再生部の動作を制御する制御部と、を備える内視鏡システムを提供する。
【０００９】
本発明の第２の態様は、第１の態様において、前記操作信号出力部は、前記把持部に設けられる、内視鏡システムを提供する。
本発明の第３の態様は、第２の態様において、前記操作信号出力部は、押下式の単一ボタンであり、前記操作信号出力部を押下する期間に応じて、前記記録部による記録動作又は前記再生部による再生動作を行わせる前記操作信号を出力する、内視鏡システムを提供する。
【００１０】
本発明の第４の態様は、第１の態様において、前記制御部は、前記操作信号出力部が所定期間よりも短く操作された場合、前記映像信号に応じた動画の記録動作を開始させるよう前記記録部を制御し、前記記録動作中に前記操作信号出力部が前記所定期間以上操作された場合、前記記録動作を停止させるよう前記記録部を制御し、前記記録動作により記録された動画の逆再生動作を行わせるよう前記再生部を制御する、内視鏡システムを提供する。
【００１１】
本発明の第５の態様は、第４の態様において、前記記録動作中に前記操作信号出力部が前記所定期間以上操作された場合において、前記制御部は、前記記録動作の停止後であって前記操作信号出力部が継続して操作されている間は、前記逆再生動作を継続させるよう前記再生部を制御する、内視鏡システムを提供する。
【００１２】
本発明の第６の態様は、第１の態様において、前記操作信号出力部は、フットスイッチである、内視鏡システムを提供する。
本発明の第７の態様は、ユーザにより把持可能に構成された把持部を備えた内視鏡と、前記内視鏡により取得された映像信号に応じた動画を記録可能に構成された記録部と、前記記録部により記録された前記動画を再生可能に構成された再生部とを備える内視鏡システムの動作制御方法であって、前記ユーザが前記把持部を把持している状態で前記ユーザによって操作が継続して行われた期間に応じて、前記記録部及び前記再生部に対する操作信号を出力し、前記操作信号に基づいて、前記記録部及び前記再生部の動作を制御する、動作制御方法を提供する。
【発明の効果】
【００１３】
本発明によれば、内視鏡システムにおいて、単一のスイッチによりインスタントリプレイ機能を実現することができる、という効果を奏する。
【図面の簡単な説明】
【００１４】
【図１】一実施の形態に係る内視鏡システムの構成例を示す図である。
【図２】一実施の形態に係る内視鏡システムの動作状態の遷移例を示す図である。
【発明を実施するための形態】
【００１５】
以下、図面を参照しながら、本発明の実施の形態について説明する。
図１は、本発明の一実施の形態に係る内視鏡システムの構成例を示す図である。なお、この内視鏡システムは、例えば、病院等の医療機関での内視鏡検査に使用される。
【００１６】
図１に示したように、内視鏡システム１は、内視鏡（スコープ）１０、内視鏡装置２０、観察モニター３０、フットスイッチ４０、及び音声入力部５０を含む。内視鏡１０、観察モニター３０、フットスイッチ４０、及び音声入力部５０の各々は、例えばケーブルを介して、内視鏡装置２０に接続されている。
【００１７】
内視鏡１０は、患者の体腔内を撮像して映像信号（内視鏡映像信号）を取得し、その映像信号を内視鏡装置２０へ出力する。このような内視鏡１０は、ユーザにより把持可能に構成された把持部を備え、その把持部には、ユーザが当該把持部を把持したままで操作可能なボタンスイッチ１０１が設けられている。
【００１８】
ボタンスイッチ１０１は、押下式のスイッチであって、当該ボタンスイッチ１０１の押下操作が継続して行われた期間に応じて、内視鏡装置２０の後述する記録部２０２及び再生部２０３に対する操作信号を、内視鏡装置２０の後述する制御部２０１へ出力する。
【００１９】
内視鏡装置２０は、内視鏡１０から出力される映像信号を処理して観察モニター３０に出力する動作や、内視鏡１０から出力される映像信号に応じた動画の記録や記録した動画の再生の動作等を行う。このような内視鏡装置２０は、制御部２０１、記録部２０２、再生部２０３を含む。
【００２０】
制御部２０１は、内視鏡装置２０の各部の動作を制御する。例えば、制御部２０１は、ボタンスイッチ１０１又はフットスイッチ４０から出力される操作信号、或いは、音声入力部５０から出力される音声信号に基づいて、記録部２０２及び再生部２０３の動作を制御する。より詳しくは、その操作信号或いは音声信号に基づいて、記録部２０２又は再生部２０３に対して操作指示を行う。
【００２１】
記録部２０２は、制御部２０１の制御の下、内視鏡１０から出力される映像信号に応じた動画の記録等を行う。例えば、記録部２０２は、制御部２０１から出力される操作指示に応じて、内視鏡１０から出力される映像信号に応じた動画の記録開始や記録停止等を行う。
【００２２】
再生部２０３は、制御部２０１の制御の下、記録部２０２に記録された動画等を観察モニター３０に再生する。例えば、再生部２０３は、制御部２０１から出力される操作指示に応じて、記録部２０２により記録された動画の再生開始、再生停止、逆再生開始、逆再生停止等を行う。
【００２３】
観察モニター３０は、例えば液晶ディスプレイであって、内視鏡装置２０から出力される映像信号に応じた映像や、再生部２０３により再生される動画等を表示する。
フットスイッチ４０は、内視鏡１０のボタンスイッチ１０１と同様の機能を有する。すなわち、フットスイッチ４０は、当該フットスイッチ４０の押下操作が継続して行われた期間に応じて、内視鏡装置２０の記録部２０２及び再生部２０３に対する操作信号を内視鏡装置２０の制御部２０１へ出力する。
【００２４】
音声入力部５０は、ユーザが入力した音声（ユーザの発声）に応じた音声信号を、内視鏡装置２０の制御部２０１へ出力する。
このような構成の内視鏡システム１において、内視鏡１０は、ユーザにより把持可能に構成された把持部を備えた内視鏡の一例である。内視鏡装置２０の記録部２０２は、内視鏡により取得された映像信号に応じた動画を記録可能に構成された記録部の一例である。内視鏡装置２０の再生部２０３は、記録部により記録された動画を再生可能に構成された再生部の一例である。内視鏡１０のボタンスイッチ１０１又はフットスイッチ４０は、ユーザが内視鏡の把持部を把持している状態でユーザによって操作可能に設けられ、その操作が継続して行われた期間に応じて、記録部及び再生部に対する操作信号を出力する操作信号出力部の一例である。内視鏡装置２０の制御部２０１は、操作信号出力部により出力された操作信号に基づいて、記録部及び再生部の動作を制御する制御部の一例である。
【００２５】
次に、内視鏡システム１の動作について説明する。
内視鏡システム１では、例えば内視鏡検査中において、ユーザにより内視鏡１０の把持部が把持された状態で、ユーザによるボタンスイッチ１０１又はフットスイッチ４０の操作、或いは、ユーザによる音声入力部５０への音声入力が行われると、動作状態が、停止中、記録中、逆再生中、再生停止中、再生中といった５つの動作状態の何れかに遷移する。
【００２６】
図２は、このときの内視鏡システム１の状態遷移例を示す図である。なお、ここでは、一例として、ボタンスイッチ１０１の操作による状態遷移を示すが、フットスイッチ４０の操作による状態遷移も同様にして行われる。
【００２７】
図２において、内視鏡システム１は、当該内視鏡システム１に電源が投入されると、まず、「停止中」（Ｐ１）の動作状態に遷移する。なお、「停止中」（Ｐ１）の動作状態は、記録部２０２による記録動作、及び、再生部２０３による再生及び逆再生の動作が停止した状態である。
【００２８】
内視鏡システム１が「停止中」（Ｐ１）の動作状態では、ユーザによるボタンスイッチ１０１の短押し操作（所定期間よりも短く押下される操作）が行われると（Ｓ１）、対応する操作信号がボタンスイッチ１０１から制御部２０１へ出力され、制御部２０１は、内視鏡１０から出力される映像信号に応じた動画の記録を開始させるよう記録部２０２に対して操作指示を行う。これにより、記録部２０２は、その操作指示に応じて動画記録を開始し、内視鏡システム１は、「記録中」（Ｐ２）の動作状態に遷移する。
【００２９】
また、内視鏡システム１が「停止中」（Ｐ１）の動作状態では、ユーザによるボタンスイッチ１０１の長押し操作（所定期間以上押下される操作）が開始されると（Ｓ２）、ボタンスイッチ１０１から制御部２０１への対応する操作信号の出力が開始され、制御部２０１は、記録部２０２により記録された動画の逆再生を開始させるよう再生部２０３に対して操作指示を行う。これにより、再生部２０３は、その操作指示に応じて動画の逆再生を開始し、内視鏡システム１は、「逆再生中」（Ｐ３）の動作状態に遷移する。なお、このときの再生部２０３は、記録部２０２により最後に記録された動画の末尾からの逆再生、又は、後述するＳ９により動画再生が停止した位置からの逆再生を行う。
【００３０】
内視鏡システム１が「記録中」（Ｐ２）の動作状態では、ユーザによるボタンスイッチ１０１の短押し操作が行われると（Ｓ３）、対応する操作信号がボタンスイッチ１０１から制御部２０１へ入力され、制御部２０１は、内視鏡１０から出力される映像信号に応じた動画の記録を停止させるよう記録部２０２に対して操作指示を行う。これにより、記録部２０２は、その操作指示に応じて動画記録を停止し、内視鏡システム１は、「停止中」（Ｐ１）の動作状態に遷移する。
【００３１】
また、内視鏡システム１が「記録中」（Ｐ２）の動作状態では、ユーザによるボタンスイッチ１０１の長押し操作が開始されると（Ｓ４）、ボタンスイッチ１０１から制御部２０１への対応する操作信号の出力が開始され、制御部２０１は、内視鏡１０から出力される映像信号に応じた動画の記録を停止させるよう記録部２０２に対して操作指示を行い、続いて、記録部２０２により記録された動画の逆再生を開始させるよう再生部２０３に対して操作指示を行う。これにより、記録部２０２は、前者の操作指示に応じて動画記録を停止し、続いて、再生部２０３は、後者の操作指示に応じて動画の逆再生を開始し、内視鏡システム１は、「逆再生中」（Ｐ３）の動作状態に遷移する。なお、このときの制御部は、動画記録停止後であってボタンスイッチ１０１が継続して押下されている間は、逆再生動作を継続させるよう再生部２０３を制御する。
【００３２】
内視鏡システム１が「逆再生中」（Ｐ３）の動作状態では、ユーザによるボタンスイッチ１０１の長押し操作が行われなくなると（例えばボタンスイッチ１０１から指が離されると）（Ｓ５）、ボタンスイッチ１０１から制御部２０１への対応する操作信号の出力が停止され、制御部２０１は、動画の逆再生を停止させるよう再生部２０３に対して操作指示を行う。これにより、再生部２０３は、その操作指示に応じて逆再生を停止し、内視鏡システム１は、「再生停止中」（Ｐ４）の動作状態（逆再生停止中の動作状態でもある）に遷移する。あるいは、「逆再生中」（Ｐ３）の動作状態では、逆再生中の動画の位置が動画の先頭に達すると（Ｓ５）、再生部２０３は逆再生を停止し、これにより、内視鏡システム１は、「再生停止中」（Ｐ４）の動作状態に遷移する。
【００３３】
内視鏡システム１が「再生停止中」（Ｐ４）の動作状態では、ユーザによるボタンスイッチ１０１の長押し操作が開始されると（Ｓ６）、ボタンスイッチ１０１から制御部２０１への対応する操作信号の出力が開始され、制御部２０１は、Ｓ５により動画の逆再生が停止した位置からの逆再生を開始させるよう再生部２０３に対して操作指示を行う。但し、Ｓ５により動画の逆再生が停止した位置が動画の先頭位置であった場合には、その動画の末尾からの逆再生を開始させるよう再生部２０３に対して操作指示を行う。これにより、再生部２０３は、その操作指示に応じて逆再生を開始し、内視鏡システム１は、「逆再生中」（Ｐ３）の動作状態に遷移する。
【００３４】
また、内視鏡システム１が「再生停止中」（Ｐ４）の動作状態では、ユーザによるボタンスイッチ１０１の短押し操作が行われると（Ｓ７）、対応する操作信号がボタンスイッチ１０１から制御部２０１へ出力され、制御部２０１は、Ｓ５により動画の逆再生が停止した位置からの再生（順再生）を開始させるよう再生部２０３に対して操作指示を行う。これにより、再生部２０３は、その操作指示に応じて再生（順再生）を開始し、内視鏡システム１は、「再生中」（Ｐ５）の動作状態に遷移する。
【００３５】
内視鏡システム１が「再生中」（Ｐ５）の動作状態では、ユーザによるボタンスイッチ１０１の長押し操作が開始されると（Ｓ８）、ボタンスイッチ１０１から制御部２０１への対応する操作信号の出力が開始され、制御部２０１は、動画再生を停止させ、その停止位置からの逆再生を開始させるよう再生部２０３に対して操作指示を行う。これにより、再生部２０３は、その操作指示に応じて、動画再生を停止して、その停止位置からの逆再生を開始し、内視鏡システム１は、「逆再生中」（Ｐ３）の動作状態に遷移する。
【００３６】
また、内視鏡システム１が「再生中」（Ｐ５）の動作状態では、ユーザによるボタンスイッチ１０１の短押し操作が行われると（Ｓ９）、対応する操作信号がボタンスイッチ１０１から制御部２０１へ出力され、制御部２０１は、再生を停止させるよう再生部２０３に対して操作指示を行う。これにより、再生部２０３は、その操作指示に応じて再生を停止し、内視鏡システム１は、「停止中」（Ｐ１）の動作状態に遷移する。あるいは、「再生中」（Ｐ５）の動作状態では、再生中の動画の位置が動画の末尾に達すると（Ｓ５）、再生部２０３は、再生を停止し、これにより、内視鏡システム１は、「停止中」（Ｐ１）の動作状態に遷移する。
【００３７】
なお、このような図２に示した状態遷移は、ユーザによる音声入力部５０に対する音声入力によっても行うことができる。この場合は、図２に示した、ユーザによる短押し操作及び長押し操作が、ユーザによる発声の短長（発声期間の短い発声及び長い発声）に置き換えられる。より詳しくは、音声入力部５０に対する短い発声が行われると、対応する音声信号が音声入力部５０から制御部２０１へ出力され、ボタンスイッチ１０１の短押し操作が行われたときと同様の動作が行われる。また、音声入力部５０に対する長い発声が行われると、対応する音声信号が音声入力部５０から制御部２０１へ出力され、ボタンスイッチ１０１の長押し操作が行われたときと同様の動作が行われる。
【００３８】
以上のように、本実施形態によれば、例えば内視鏡検査中において、ユーザが内視鏡１０の把持部を把持した状態で、単一のスイッチであるボタンスイッチ１０１又はフットスイッチ４０を操作するだけで、或いは、音声入力部５０へ音声入力を行うだけで、内視鏡システム１の動作状態を停止中、記録中、逆再生中、再生停止中、及び再生中といった５つの動作状態の何れかに遷移させることができる。従って、内視鏡システム１において、多数のスイッチを設けることなく単一のスイッチによってインスタントリプレイ機能を実現することができる。
【００３９】
なお、本実施形態においては、次のような変形が可能である。
例えば、本実施形態では、記録部２０２が内視鏡装置２０の内部に設けられる構成であったが、記録部２０２が内視鏡装置２０の外部に設けられる構成としてもよい。この場合は、例えば、記録部２０２が記録装置として内視鏡装置２０の外部に設けられ、その記録装置と内視鏡装置２０とがケーブルを介して接続される。
【００４０】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００４１】
１          内視鏡システム
１０        内視鏡
２０        内視鏡装置
３０        観察モニター
４０        フットスイッチ
５０        音声入力部
１０１      ボタンスイッチ
２０１      制御部
２０２      記録部
２０３      再生部
【図１】
2017184970.tif 000003
【図２】
2017184970.tif 000004